(57)【要約】  本発明は、媒体吸入器内の一つ以上のベイパー供与源を保持するための装置（１０）を提供する。装置は、吸入される媒体の流れの中に導入および同伴される一つ以上のベイパー供与源からのベイパーを許容する。ベイパー挿入装置は、多孔性表面（１１）と、開放した前部端（９）と、開放した後部端とを有する中空円筒（１２）を含む。前部フランジ（１４）は開放した前部端に取り付けられていて、また後部フランジ（１６）は開放した後部端に取り付けられている。前部フランジおよび後部フランジは各々、中空円筒の周りの周囲の空間を形成するために、中空円筒の直径より大きい直径を有する。【選択図】図２Ａ
2020530360.tif 000002
【特許請求の範囲】
【請求項１】
ベイパー挿入装置であって、
多孔性表面、開放した前部端、および開放した後部端を有する中空円筒と、
前記開放した前部端に取り付けられた前部フランジと、
前記開放した後部端に取り付けられた後部フランジと、を備え、
前記前部フランジおよび前記後部フランジが各々、前記中空円筒の周りに周囲の空間を形成するために、前記中空円筒の直径より大きい直径を有する、装置。
【請求項２】
前記多孔性表面がワイヤーメッシュから構築されている、請求項１に記載の装置。
【請求項３】
前記多孔性表面が織布から構築されている、請求項１に記載の装置。
【請求項４】
前記多孔性表面が、一つ以上の穴またはスリットを有する固体材料から構築されている、請求項１に記載の装置。
【請求項５】
前記前部フランジから前記後部フランジに延びる一つ以上の支柱をさらに備える、請求項１に記載の装置。
【請求項６】
前記一つ以上の支柱が、前記中空円筒の前記表面から前記前部フランジと前記後部フランジの前記外側縁部にさらに延びることによって、前記周囲の空間を分割する、請求項５に記載の装置。
【請求項７】
前記後部フランジが一つ以上の開口部を備える、請求項１に記載の装置。
【請求項８】
前記前部フランジ、または前記後部フランジ、またはその両方が、ゴムまたはシリコーン材料から少なくとも部分的に構築されている、請求項１に記載の装置。
【請求項９】
前記周囲の空間が一つ以上のベイパー供与源に適合する、請求項１に記載の装置。
【請求項１０】
前記ベイパー供与源が、たばこ葉、ゲルビーズ、風味剤、茶葉、コーヒー粉砕物、および注入された繊維状パッドから成る群から選択される、請求項９に記載の装置。
【発明の詳細な説明】
【背景技術】
【０００１】
市場では、ガス吸入器、乾燥粉末吸入器、エアロゾル吸入器を含む、吸入媒体送達のための様々な装置がある。媒体吸入装置は、医薬送達および／またはレクリエーション使用のために利用することができるが、吸入媒体の交換以外では吸入体験を修正する能力をユーザーに提供しないことが多い。
【発明の概要】
【発明が解決しようとする課題】
【０００２】
当業界では吸入媒体を強化する手段に対するニーズがある。本発明は、このニーズに対処するものである。
【課題を解決するための手段】
【０００３】
一態様において本発明は、多孔性表面、開放した前部端、および開放した後部端を有する中空円筒と、開放した前部端に取り付けられた前部フランジと、開放した後部端に取り付けられた後部フランジとを備え、前部フランジおよび後部フランジが各々、中空円筒の周りに周囲の空間を形成するために、中空円筒の直径より大きい直径を有する、ベイパー挿入装置に関する。
【０００４】
一実施形態において、多孔性表面はワイヤーメッシュから構築されている。一実施形態において、多孔性表面は織布から構築されている。一実施形態において、多孔性表面は、一つ以上の穴またはスリットを有する固体材料から構築されている。
【０００５】
一実施形態において、装置は、前部フランジから後部フランジに延びる一つ以上の支柱をさらに備える。一実施形態において、一つ以上の支柱は、中空円筒の表面から前部フランジと後部フランジの外側縁部にさらに延びることによって、周囲の空間を分割する。
【０００６】
前部フランジ、または後部フランジ、またはその両方が、ゴムまたはシリコーン材料から少なくとも部分的に構築されている。
【０００７】
一実施形態において、周囲の空間は、一つ以上のベイパー供与源に適合する。一実施形態において、ベイパー供与源は、たばこ葉、ゲルビーズ、風味剤、茶葉、コーヒー粉砕物、および注入された繊維状パッドから成る群から選択される。
【０００８】
以下の本発明の実施形態の詳細な説明は、添付の図面と併せて読むことでよりよく理解される。しかしながら、当然のことながら、本発明は図面に示された実施形態の正確な配設および手段に限定されない。
【図面の簡単な説明】
【０００９】
【図１Ａ】図１Ａは、例示的なベイパー挿入部の斜視図および側面図を描写する。
【図１Ｂ】図１Ｂは、例示的なベイパー挿入部の斜視図および側面図を描写する。
【図２Ａ】図２Ａは、開口部を有する例示的なベイパー挿入部の斜視正面図および斜視背面図を描写する。
【図２Ｂ】図２Ｂは、開口部を有する例示的なベイパー挿入部の斜視正面図および斜視背面図を描写する。
【図３Ａ】図３Ａは、媒体吸入器の気道内に定置された例示的なベイパー挿入部を描写する。
【図３Ｂ】図３Ｂは、媒体吸入器の気道内に定置された例示的なベイパー挿入部を描写する。
【発明を実施するための形態】
【００１０】
本発明は、媒体吸入器内に一つ以上のベイパー供与源を保持するための装置を提供する。装置は、吸入される媒体の流れの中に導入および同伴される一つ以上のベイパー供与源からのベイパーを許容する。
【００１１】
定義
本発明の図および説明は、本発明の明確な理解のために、関連する要素を図示するために簡略化されている一方、明確化の目的で、当業界で典型的に見られる数多くの他の要素が省かれていることが理解される。当業者は、本発明の実施においてその他の要素および／または工程が望ましい、および／または要求されることを認識しうる。しかしながら、こうした要素および工程は当業界で周知であるため、またこれらは本発明のより良好な理解を促進しないため、こうした要素および工程の考察は本明細書では提供されない。本明細書の開示は、当業者にとって周知のこうした要素および方法に対するすべてのこうした変形および修正を対象とする。
【００１２】
別途定義されていない限り、本明細書で使用されるすべての技術的用語および科学的用語は、本発明が属する技術分野の当業者が一般的に理解しているものと同じ意味を有する。本明細書に記載のものと類似または均等の任意の方法および材料を、本発明の実践または試験に使用することができるが、例示的な方法および材料が記載されている。
【００１３】
本明細書で使用する以下の用語の各々は、このセクションにおいてその用語と関連付けられた意味を有する。
【００１４】
本明細書で使用する「一つ」という用語は、この用語の被修飾語の一つ、または一つ以上（例えば、少なくとも一つ）を言及するために使用される。一例として、「一つの要素」は、一つのある要素または一つ以上のある要素を意味する。
【００１５】
本明細書で使用される「約」は、量、時間の長さ、およびこれに類するものなどの測定可能な値を指す時、特定の値からの±２０％、±１０％、±５％、±１％、および±０．１％の変動を（このような変動が適切な場合に）包含することを意味する。
【００１６】
本開示全体を通して、本発明の様々な態様は範囲の形式で提示されることがある。当然のことながら、範囲形式での説明は、単に便宜と簡潔さのためであり、本発明の範囲について融通性のない限界として解釈されるべきではない。従って、範囲の説明は、すべての可能性のある部分的範囲や、その範囲内の個別の数値を具体的に開示していると見なされるべきである。例えば、１〜６などの範囲の説明は、１〜３、１〜４、１〜５、２〜４、２〜６、３〜６などの部分的範囲、ならびにその範囲内の個別の数字、例えば、１、２、２．７、３、４、５、５．３、６、およびそれらの間にある全体的および部分的な増分を具体的に開示していると見なされるべきである。これは範囲の幅に関係なく適用される。
【００１７】
ベイパー挿入部
本発明は、媒体吸入器の気道内に適合するようにサイズが決められたベイパー挿入装置を提供する。ベイパー挿入部は、一つ以上のベイパー供与源を媒体吸入器の気道内に保持する能力を有する。ベイパー挿入部は、一つ以上のベイパー供与源からのベイパーが媒体吸入器の気道に入り、するとすぐにユーザーによる吸入がベイパーを媒体の流れの中に同伴し、媒体およびベイパーをユーザーに同時送達することを許容する。
【００１８】
ここで図１Ａおよび図１Ｂを参照すると、例示的なベイパー挿入部１０が描写されている。ベイパー挿入部１０は、円筒１２、前部フランジ１４、および後部フランジ１６を備える。円筒１２は、中空の内部を備え、また両方の円筒端で開放している。円筒１２は、空気およびベイパーの通過を許容する表面１１を備える。一部の実施形態において、円筒１２は、織布またはワイヤーメッシュ材料などの空気およびベイパーを通すメッシュ表面１１を備える。その他の実施形態において、円筒１２は、空気およびベイパーを通す一つ以上の穴またはスリットを有する中実の表面１１を備える。円筒１２は、媒体吸入器の気道内に適合する長さなど、任意の適切な長さを有することができる。円筒１２は、任意の適切な幅、好ましくは媒体吸入器の気道より小さい幅を有することができる。
【００１９】
円筒１２の前部開放端１３は前部フランジ１４に結合されていて、円筒１２の後部開放端１５は後部フランジ１６に結合されている。前部フランジ１４および後部フランジ１６は、円筒１２を気道内にしっかりと位置付けるために、媒体吸入器の気道内に同一平面上で適合するようにサイズと形状が決められている。ここで図１Ｂを参照すると、ベイパー挿入部１０が、媒体吸入器気道の内腔をシミュレートするための破線を有して描写されている。前部フランジ１４および後部フランジ１６は、円筒１２より大きい直径を有し、直径の差は円筒部１２の周りに周囲の空間２０を形成する。前部フランジ１４および後部フランジ１６は、金属またはプラスチックなどの任意の適切な材料から構築することができる。特定の実施形態において、前部フランジ１４、または後部フランジ１６、またはその両方は、媒体吸入器の気道内での適合および把持を高めるために、ゴム材料またはシリコーン材料から少なくとも部分的に構築することができる。特定の実施形態において、後部フランジ１６は、一つ以上の開口部２２（図２Ａおよび図２Ｂ）を備える。
【００２０】
特定の実施形態において、一つ以上の支柱１８は、前部フランジ１４と後部フランジ１６との間に延びる。一つ以上の支柱１８は、金属またはプラスチックなどの堅い材料から構築され、特に円筒１２が可撓性の材料から構築される場合、ベイパー挿入部１０の構造的な剛性を高める。特定の実施形態において、一つ以上の支柱１８は、円筒１２の外表面、および前部フランジ１４と後部フランジ１６（図示せず）の外側端からも延びるようにサイズが決められることができる。このようにして、一つ以上の支柱１８は、周囲の空間２０を二つ以上の区画に分割する。
【００２１】
上述の本発明の様々な構成要素は、当業界で周知の任意の適切な方法を使用して作製することができる。作製方法は使用する材料に依存して異なる場合がある。例えば、金属を実質的に含む構成要素は、金属のより大きいブロックからフライス加工されてもよく、または溶融金属から鋳造されてもよい。同様に、プラスチックまたはポリマーを実質的に含む構成要素は、より大きいブロックからフライス加工されてもよく、または射出成形されてもよい。一部の実施形態において、装置は３Ｄ印刷、または当業界で一般的に使用されるその他の追加的な製造技法を使用して作製されてもよい。
【００２２】
ここで図３Ａおよび図３Ｂを参照すると、媒体吸入器の気道内に挿入されている例示的なベイパー挿入部１０が描写されている。上の画像では、媒体吸入器は、周囲の空間２０を描写するために半透明で描画されている。このようにして、一つ以上のベイパー供与源を周囲の空間２０内に保持することができる。一つ以上のベイパー供与源は、ゲルビーズ、風味剤、たばこ葉、茶葉、コーヒー粉砕物、注入された繊維状パッド、およびこれに類するものなどの任意の適切な芳香材料とすることができる。本明細書のいずれかで説明の通り、円筒１２は、空気およびベイパーの通過を許容する表面を備える。ユーザーが媒体吸入器の気道に真空を印加して、ある用量の媒体を引き出す時、空気の流れはベイパー挿入部１０を通過する。ベイパー挿入部１０を通過する空気は、円筒１２を通してその中空内部の中に拡散するベイパーを同伴してもよい。ベイパー挿入部１０を通過する空気はまた、円筒１２を通過して周囲の空間２０に入り、追加的なベイパーを同伴してもよい。特定の実施形態において、開口部２２を有する後部フランジ１６を有するベイパー挿入部１０は、追加的なベイパーを同伴するために、周囲の空間２０の中への空気の通過を強化する。
【００２３】
本発明は、一つ以上のベイパー挿入部および一つ以上のベイパー供与源を備えるキットをさらに含む。一つ以上のベイパー供与源を、ばらの材料として、または好都合な挿入および取り外しのために一つ以上のベイパー挿入部の周囲の空間内で適合するようにサイズが決められた小さい多孔性パケット内で提供することができる。
【００２４】
ありとあらゆる特許、特許出願、および本明細書で引用した出版物の開示は、これによって参照により本明細書にその全体が組み込まれる。特定の実施形態を参照しながら本発明を開示してきたが、本発明の真の趣旨および範囲から逸脱することなく、本発明のその他の実施形態および変形が他の当業者によって考案されうることは明らかである。添付の特許請求の範囲は、こうしたすべての実施形態および均等物の変形を含むように解釈されることが意図される。
【図１Ａ】
2020530360.tif 000003
【図１Ｂ】
2020530360.tif 000004
【図２Ａ】
2020530360.tif 000005
【図２Ｂ】
2020530360.tif 000006
【図３Ａ】
2020530360.tif 000007
【図３Ｂ】
2020530360.tif 000008
【国際調査報告】
2020530360.tif 000009
2020530360.tif 000010
2020530360.tif 000011